(57)【要約】  ドクターブレード（３）をドクターブレードチャンバー（１）の本体（２）に締結するための締結装置（１０）は、  ドクターブレード（３）をドクターブレードチャンバー（１）の本体（２）の上に押し付けるよう構成された少なくとも１つの締め付けフランジ（１１）と、  少なくとも１つの第１の締結具（２０）と、  少なくとも１つの第２の締結具（３０）と、を備え、  第１の締結具（２０）は、少なくとも、上端（２１ａ）及び下端（２１ｂ）を有する第１の保持セクション（２１）と、第１の保持セクション（２１）とは異なる第２のセクション（２２）とを備え、  第２の締結具（３０）は、少なくとも１つの保持要素（３４ａ）を有する第１の部分（３１）、少なくとも１つの保持要素（３４ｂ）を有する第２の部分（３２）、及び保持要素なしで第１の部分（３１）と第２の部分（３２）との間に配置された中間部分（３３）を少なくとも備える。【選択図】図１
2021519712.tif 000002
【特許請求の範囲】
【請求項１】
ドクターブレード（３）をドクターブレードチャンバー（１）の本体（２）に締結するための締結装置（１０）であって、
前記ドクターブレード（３）を前記ドクターブレードチャンバー（１）の本体（２）に押し付けるよう構成された少なくとも１つの締め付けフランジ（１１）と、
少なくとも１つの第１の締結具（２０）と、
前記第１の締結具（２０）と協働するよう構成された少なくとも１つの第２の締結具（３０）と、
を備え、
前記フランジ（１１）は、前記第１の締結具（２０）と前記第２の締結具（３０）との間に配置されており、
前記第１の締結具（２０）は、少なくとも、上端（２１ａ）及び下端（２１ｂ）を有する第１の保持セクション（２１）と、前記第１の保持セクション（２１）とは異なる第２のセクション（２２）とを備え、
前記第２の締結具（３０）は、少なくとも１つの保持要素（３４ａ）を有する第１の部分（３１）と、少なくとも１つの保持要素（３４ｂ）を有する第２の部分（３２）と、保持要素なしで前記第１の部分（３１）と前記第２の部分（３２）との間に配置された中間部分（３３）とを少なくとも備え、前記第２の締結具（３０）は、前記第１の締結具（２０）内で、第１のロック位置と第２のロック解除位置との間で移動でき、
前記第１のロック位置において、前記第２の部分（３２）は、前記第１の締結具（２０）の前記第１の保持セクション（２１）と協働し、前記第１の部分（３１）は、前記第２のセクション（２２）内に配置され、
前記第２のロック解除位置において、前記中間部分（３３）は、前記第１の保持セクション（２１）の高さに位置決めされ、前記第２の部分（３２）が前記第１の保持セクション（２１）の前記上端（２１ａ）に当接する第１の極限位置と、前記第１の部分（３１）が前記第１の保持セクション（２１）の前記下端（２１ｂ）に当接する第２の極限位置との間で、長さ方向軸線（Ａ−Ａ）に従って第１の保持セクション（２１）に相対して自由に摺動する、締結装置。
【請求項２】
第１の締結具（２０）の前記第１の保持セクション（２１）及び前記第２の締結具（３０）の前記第２の部分（３２）は、相補的形状によって協働する、請求項１に記載の締結装置。
【請求項３】
前記第１の保持セクション（２１）は、前記第２の締結具（３０）の前記第２の部分（３２）上に設けられた保持要素（３４ｂ）と、及び／又は、前記第２の締結具（３０）の前記第１の部分（３１）上に設けられた保持要素（３４ａ）と協働するように構成されたねじ山（２３）を備える、請求項１又は２に記載の締結装置。
【請求項４】
前記第１の保持セクション（２１）は、前記中間部分（３３）の高さよりも完全に低い高さを有する、請求項１から３のいずれか一項に記載の締結装置。
【請求項５】
前記中間部分（３３）の前記高さは、前記第１の締結具（２０）内の前記第２の締結具（３０）に自由摺動距離を定めるように設定されている、請求項４に記載の締結装置。
【請求項６】
第１の締結具セットと第２の締結具セットとを備え、前記第１の締結具の各々は、第２の締結具と協働する、請求項１から５のいずれか一項に記載の締結装置。
【請求項７】
前記第１の締結具（２０）を少なくとも部分的に収容するように構成された内部キャビティ（４３）を有する第３の締結具（４０）を備える、請求項１から６のいずれか一項に記載の締結装置。
【請求項８】
長さ方向軸線（Ｘ−Ｘ）に沿って延び、請求項１から７のいずれか一項に記載の少なくとも１つの締結装置（１０）によって第１のドクターブレード（３）が上部に固定される第１の部分（２ａ）を含む少なくとも１つの細長い本体（２）を備えるドクターブレードチャンバー（１）。
【請求項９】
前記本体（２）は、少なくとも、請求項１から７のいずれか一項に記載の少なくとも１つの第２の締結装置（１０）によって第２のドクターブレード（３）が上部に固定される第２の部分（２ｂ）を含み、前記第２のドクターブレード（３）は、前記本体（２）の前記長さ方向軸線（Ｘ−Ｘ）に対して前記第１のドクターブレード（３）の反対側に配置される、請求項８に記載のドクターブレードチャンバー。
【請求項１０】
前記本体（２）の前記第１の部分（２ａ）は、オリフィス（２ｄ）のセットを備え、前記オリフィス（２ｄ）の各々は、少なくとも１つの第１の締結具（２０）又は少なくとも１つの第３の締結具（４０）の挿入体を収容するよう設計されている、請求項８又は９に記載のドクターブレードチャンバー。
【発明の詳細な説明】
【技術分野】
【０００１】
本発明は、回転式フレキソ印刷ユニット用のドクターブレードチャンバーの技術分野に関し、より詳細には、ドクターブレードチャンバー本体にドクターブレードを締結する装置に関する。
【背景技術】
【０００２】
フレキソ印刷は、例えば、段ボール又はプラスチック材のシート又はウェブ類の多くの担体上に使用することができる輪転印刷工程であり、柔軟かつ起伏のある版板（ｐｌａｔｅ）又は印刷版を使う必要がある。印刷機は、順々に配置され、各々が特定の色に充てられた複数の印刷ユニットを備える。フレキソ印刷は、多くの媒体上に使用することができる輪転印刷工程であり、比較的柔軟かつ起伏のある版板又は印刷版を使う必要がある。
【０００３】
フレキソ印刷において、印刷ユニットは、印刷版を保持するよう構成された版胴と、表面にセル容量によって制御される所定量のインクを集めるようになっている一連のセルを有し、インクを版板に転写するよう構成されているアニロックスシリンダと、アニロックスシリンダのセルを満たすよう構成されたドクターブレードチャンバーと、インクをインクタンクからドクターブレードチャンバーへ送るのを保証するポンプと、印刷される媒体を版胴に対して保持する逆圧胴とを備える。
【０００４】
一般的に、ドクターブレードチャンバー内のドクターブレードは、ドクターブレードチャンバー本体の一部にドクターブレードを押し付けるよう構成された締め付けフランジ及び締結具を備える締結装置によってドクターブレードチャンバー本体に固定される。正確には、締め付けフランジは、ドクターブレードを本体に対して締め付けて及び／又は押し付けて保持するよう配置され、ねじ手段によってドクターブレードチャンバー本体上にねじ留めされる。ドクターブレードは、長くて鋭いブレードであり、取り扱いが危険で、ドクターブレードチャンバー本体に締結される一連のねじ手段の全長に沿って適用される締結具を必要とする。ドクターブレードを組み込む際に、第１のオペレータがフランジの下でドクターブレードを所定位置に保持し、同時に第２のオペレータがねじ手段を１つずつねじ留めする。ドクターブレードを交換する場合、オペレータは、交換のためにドクターブレードを外す目的で全てのねじ手段を外すことでフランジを完全に解体する必要がある。これらの作業は、退屈で時間がかかり、ドクターブレードを取り扱う際に負傷するリスクがあるのでなおさらであり、このリスクはオペレータはねじ及びドクターブレードの両方を管理する必要があるので保守管理の際に高くなる。
【発明の概要】
【発明が解決しようとする課題】
【０００５】
本発明の目的は、上述の問題点の全て又は一部を解決することにあり、ねじがドクターブレードの交換時又はドクターブレードチャンバー本体への組み込み時に所定位置に保持されるのを可能にするドクターブレードチャンバーのブレードに適した締結装置を提案することで、組み込み時及び交換時にドクターブレードの取り扱いを容易にして、結果的にオペレータが負傷するリスクが最小限になるようにする。
【課題を解決するための手段】
【０００６】
本発明は、ドクターブレードをドクターブレードチャンバー本体に締結するための締結装置に関し、
ドクターブレードをドクターブレードチャンバー本体に押し付けるよう構成された少なくとも１つの締め付けフランジと、
少なくとも１つの第１の締結具と、
第１の締結具と協働するよう構成された少なくとも１つの第２の締結具と、
を備え、フランジは、第１の締結具と第２の締結具との間に配置されている。
第１の締結具は、少なくとも、上端及び下端を有する第１の保持セクションと、第１の保持セクションとは異なる第２のセクションとを備え、
第２の締結具は、少なくとも１つの保持装置を有する第１の部分と、少なくとも１つの保持装置を有する第２の部分と、保持装置なしで第１の部分と第２の部分との間に配置された中間部分とを少なくとも備え、第２の締結具は、第１の締結具内で、第１のロック位置と第２のロック解除位置との間で移動でき、
第１のロック位置において、第２の部分は、第１の締結具の第１の保持セクションと協働し、第１の部分は、第２のセクション内に配置され、
第２のロック解除位置において、中間部分は、第１の保持セクションの高さに位置決めされ、第２の部分が第１の保持セクションの上端に当接する第１の極限位置と、第１の部分が第１の保持セクションの下端に当接する第２の極限位置との間で、長さ方向軸線に従って第１の保持セクションに相対して自由に摺動する。
【０００７】
本発明の締結装置のおかげで、ドクターブレードは、締結装置を完全に取り外し次に戻すことなく設置すること又は交換することができ、このことは、締結具の紛失を防ぎ、ドクターブレードを操作するであろう回数を制限する。実際には、解除構成のおかげで、第２の締結具が解除され、フランジが緩められる。フランジはドクターブレード本体に取り付いたままとすることができるので、ドクターブレードは、締結装置を完全に取り外すことなく、取り外すこと又は挿入することができる。従って、オペレータの注意は、ドクターブレードのみに集中されるので、負傷するリスク又はドクターブレードチャンバー本体上へのドクターブレードの不十分な位置決めの可能性が著しく低減する。単純化されたロック解除操作によって、もはや複数のオペレータがドクターブレードをセットする又は交換する必要がない。
【０００８】
第１の締結具の第１の保持セクション及び第２の締結具の第２の部分は、形状適合様式で協働する少なくとも１つの保持要素を有することができる。
【０００９】
第１の締結具の第１の保持セクションは、第２の締結具の第２の部分上に形成された保持要素と及び／又は第２の締結具の第１の部分上に形成された保持要素と協働するように形作られたねじ山を備えることができる。
【００１０】
第１の締結具は、ドクターブレードチャンバー本体上に設けられたオリフィスの中に直接又は間接的に挿入されることを意図することができる。
【００１１】
第１の締結具は、第３の締結具と協働することが意図されている保持要素、好ましくはねじ山を少なくとも部分的に備える挿入体とすることができる。第３の締結具のおかげで、第１の締結具は、ドクターブレードチャンバー本体上に設けられたオリフィスの中に間接的に挿入される。
【００１２】
第１の締結具は略円筒形状とすることができる。
【００１３】
第１の締結具の第１の保持セクションと第１の締結具の第２の保持セクションは隣接することができる。
【００１４】
第１の締結具の第１の保持セクションは、第１の締結具の第２の保持セクションよりも実質的に小さい幅又は直径を有することができる。
【００１５】
第１の締結具の第１の保持セクションは、第２の締結具の中間部分よりも完全に低い高さを有することができる。
【００１６】
第１の締結具の第１の保持セクションの高さは、第２の締結具の少なくとも１つの保持要素を有する第２の部分の高さ及び／又は第２の締結具の少なくとも１つの保持要素を有する第１の部分の高さ以下とすることができる。
【００１７】
第２の締結具は、締め付け位置に移動することができ、この位置では、第２の締結具の第２の部分は、完全に第１の保持セクション内にあり、好ましくは、締め付け部がドクターブレード本体上に向かって押し付けられるように、第１の保持セクションの下端に隣接する。好都合には、締め付け位置では、中間部分及び第２の締結具の第１の部分の両方が第１の締結具の第２のセクション内に配置される。
【００１８】
第２の締結具の第１の部分の保持要素は、第１の締結具の第１の保持セクション上に形成されたねじ山に相補的なねじ山とすることができる。
【００１９】
第２の締結具の中間部分は滑らかなものとすることができる。
【００２０】
好都合には、第２の締結具の中間部分は、第１の部分及び／又は第２の部分の断面よりも実質的に小さな断面を有する。
【００２１】
第２の締結具の少なくとも１つの保持要素を有する第１の部分は、第２の締結具の少なくとも１つの保持要素を有する第２の部分とは離れており所定の距離で配置することができる。
【００２２】
好都合には、第２の締結具の中間部分は、第１の締結具内で第２の締結具の自由摺動距離を定めるように構成することができる。
【００２３】
自由摺動距離は、ドクターブレードの抜き取り又は挿入のための空間を定めるように、ドクターブレードチャンバー本体に対するフランジからの十分な空間に対応するように決定することができる。
【００２４】
締結装置は、第１の締結具セット、第２の締結具セットを備えることができ、各第１の締結具は、第２の締結具と協働する。
【００２５】
第２の締結具は、その上に少なくとも１つの保持要素を有する第１の部分が配置された第１の端部を備えることができる。
【００２６】
第２の締結具は、頭部を備えた第２の端部を含むことができる。
【００２７】
第２の締結具の少なくとも１つの保持要素を有する第２の部分は、第１の端部と第２の端部との間で、好ましくは第２の締結具の頭部の下に配置することができる。
【００２８】
第２の締結具の第２の端部は、少なくとも１つの把持部材を含むことができる。
【００２９】
第２の端部の頭部は、支持すること及び締め付けフランジ上に設けられたハウジング上の中心に置かれることが意図されている支持部を備えることができる。
【００３０】
第２の締結具は、二条ねじの形態とすることができる。
【００３１】
好都合には、第２の締結具はロッドを備えることができ、ロッド上には、少なくとも１つのリテーナを有する第１の部分、少なくとも１つのリテーナを有する第２の部分、及び中間部分が配置される。
【００３２】
締結装置は、第１の締結具を少なくとも収容するように構成された内部キャビティを備える第３の締結具を含むことができる。
【００３３】
第１の締結具は、外面を備えることができ、外面上には、少なくとも部分的に、第３の締結具の内部キャビティ内に形成された相補的要素と力を組み合わせるよう構成された協働構成要素が設けられている。
【００３４】
第３の締結具は、ドクターブレードチャンバー本体の内面を支持することが意図された張り出し持部を有することができる。
【００３５】
第３の締結具は、ドクターブレードチャンバー本体の外面から突出するカラーを形成し、ドクターブレード用の停止部として機能する上端をさらに備えることができる。
【００３６】
第３の締結具は、ドクターブレードチャンバー本体の中に延びるよう設計され、少なくとも部分的に第１の締結具を収容するよう構成された下端を含むことができる。
【００３７】
内部キャビティは、第３の締結具の少なくとも上端から下端に形成された、貫通オリフィス又は非貫通オリフィスとすることができる。
【００３８】
第３の締結具は略円筒形状とすることができる。
【００３９】
締め付けフランジは、第２の締結具の第２の端部の頭部の支持部を受け入れるよう形作られたハウジングを備えることができる。
【００４０】
また、本発明の主題は、長さ方向軸線に沿って延び、本発明による少なくとも１つの締結装置によって第１のドクターブレードが上部に固定される第１の部分を含む少なくとも１つの細長い本体を備えるドクターブレードチャンバーである。
【００４１】
本体は、少なくとも本発明による少なくとも１つの第２の締結装置によって第２のドクターブレードが固定される第２の部分を備えることができ、第２のドクターブレードは、本体の長さ方向軸線に対して第１のドクターブレードの反対側に配置される。
【００４２】
本体の第１の部分は、オリフィスのセットを備えることができ、オリフィスの各々は、少なくとも１つの第１の締結具又は少なくとも１つの第３の締結具の挿入体を収容するよう設計されている。
【００４３】
本体の第２の部分は、オリフィスのセットを備えることができ、オリフィスの各々は、少なくとも１つの第１の締結具又は少なくとも１つの第３の締結具の挿入体を収容するよう設計されている。
【００４４】
第３の締結具は、ドクターブレードチャンバー本体上に作られたオリフィスの中に圧着することができる。
【００４５】
本発明は、本発明による実施形態に関連し、非限定的な実施例によって与えられ、添付図面を参照して説明される本明細書によってより良く理解することができ、図面において同じ数値参照記号の符号は、構造的に及び／又は機能的に同一又は類似の要素に対応する。以下に添付図面を記載する。
【図面の簡単な説明】
【００４６】
【図１】印刷ユニット構造を示す。
【図２】本発明によるドクターブレードチャンバーの斜視図である。
【図３】本発明による締結装置の第３の締結具を備えた、図２に示すドクターブレードチャンバーの部分斜視図である。
【図４】本発明による締結装置の第３の締結具を示す断面図である。
【図５】本発明による第３の締結具内に取り付けられた第１の締結具を示す断面図である。
【図６】本発明による締結装置を示す分解組立断面図である。
【図７】本発明によるロック解除構成での締結装置を示す断面図である。
【図８】本発明によるロック構成での締結装置を示す断面図である。
【図９】本発明による中間ロック解除構成での締結装置を示す断面図である。
【発明を実施するための形態】
【００４７】
図１に示すように、印刷ユニット１００は、版板又は印刷版１０８を保持するよう構成された版胴１０４と、表面にセル容量によって制御される所定量のインクを集めるようになっている一連のセルを有し、インクを版板１０８に転写するよう構成されているアニロックスシリンダ１０３と、アニロックスシリンダ１０３のセルを満たすよう構成されたドクターブレードチャンバー１０１と、インクをインクタンク１０７からドクターブレードチャンバー１０１へ送るのを保証するポンプ１０２と、印刷時に担体１０６を版板１０８に対して保持する逆圧胴１０５と、を備える。
【００４８】
本発明のドクターブレードチャンバー１は、長さ方向軸線Ｘ−Ｘに沿って延びる、第１のドクターブレード３を収容するよう構成された第１の部分２ａを含む細長い本体２を備える。本体２は、第２のドクターブレード３を収容するよう構成された第２の部分２ｂをさらに備える（図２及び３参照）。さらに、本体２は、第１の部分２ａと第２の部分２ｂを連結する第３の部分２ｃと、インクを収容することを目的としており、少なくとも第１の部分２ａ、第２の部分２ｂ、及び第３の部分２ｃで境界が定められたキャビティ２ｅとを備える。好都合には、各ドクターブレード３は、本発明の締結装置１０によって（図４から９）、ドクターブレードチャンバー１の本体２上に保持される。図２に示す実施例において、ドクターブレードチャンバー１は、２つの締結装置１０を備える。
【００４９】
ドクターブレードチャンバー１の本体２は、本体２の第１の部分２ａ及び第２の部分２ｂに沿って広がる一連のオリフィス２ｄを備える（図３）。オリフィス２ｄは、本体２の各部分２ａ、２ｂに沿って等間隔である。各オリフィス２ｄは、図示の好ましい実施形態の締結装置１０の第３の締結具４０に対応する挿入体を受け入れるよう構成されている。図示しない変形例では、各オリフィス２ｄは、第１の締結具２０に対応する挿入体を受け入れるように構成される。
【００５０】
本発明によれば、締結装置１０は、ドクターブレード３をドクターブレードチャンバー１の本体２上に押し付けるよう構成された締め付けフランジ１１を備える（図４から９）。好都合には、締め付けフランジ１１は、ドクターブレード３と同じ長さとすること又は異なる長さ（短い）とすることができる。締め付けフランジ１１がドクターブレード３の長さよりも短い場合、締結装置１０は、ドクターブレード３の長さをカバーするように端から端まで設置された複数の締め付けフランジ１１を備えることができる。
【００５１】
締結装置１０は、第１の締結具２０、第２の締結具３０、及び第３の締結具４０を備える（図６参照）。図２から９は本発明の好ましい実施形態を示し、締結装置１０は、本発明では随意的と考えることができる第３の締結具４０を備えることに留意されたい。フランジ１１は、第１の締結具２０と第２の締結具３０との間に配置される。
【００５２】
第３の締結具４０は、略円筒形状である（図４）。図４から分かるように、第３の締結具４０は、特に図５から明らかなように、少なくとも部分的に第１の締結具２０を収容するよう構成された内部キャビティ４３を備える。第３の締結具４０は、ドクターブレードチャンバー１の本体２と同一平面であることが意図されている上端４１と、ドクターブレードチャンバー１の本体２の中に延びることが意図されており、少なくとも部分的に第１の締結具２０を収容するよう構成された下端４２とを備える。好都合には、内部キャビティ４３は、第３の締結具４０の少なくとも上端から下端４２まで設けられた貫通オリフィス又は非貫通オリフィスである。内部キャビティ４３は、第１の締結具２０の外面に設けられた保持装置２４（図５参照）と協働するように設計されており、例えば、ねじ山の形態の追加の協働構成要素４４を備える（図４参照）。さらに、第３の締結具４０は、上端４１と下端４２との間に配置された張り出し部４５を備える。本発明によれば、張り出し部４５は、ドクターブレードチャンバー１の本体２の内面を支持するように設計された支持部である。
【００５３】
第１の締結具２０は略円筒形状である（図５）。第１の締結具２０は、少なくとも上端２１ａ及び下端２１ｂを有する第１の保持セクション２１と、第１の保持セクション２１とは異なる第２のセクション２２とを備える。第１の保持セクション２１及び第２のセクション２２は隣接している。第１の保持セクション２１の幅又は直径は、第２のセクション２２のものよりも実質的に小さい。第１の保持セクション２１は、第２の締結具３０に設けられたリテーナ３４ｂと協働することが意図された、好ましくはねじ山であるリテーナ２３を備える。加えて、第１の締結具２０は、少なくとも部分的に、第３の締結具４０に形成されたその４４に相補的なねじ山の形態のリテーナ２４が設けられた外面を備える。
【００５４】
第２の締結具３０は、第１の締結具２０と協働するよう構成されている（図６）。第２の締結具３０は、少なくとも１つのリテーナ３４ａを有する第１の部分３１と、少なくとも１つのリテーナ３４ｂを有する第２の部分３２と、リテーナがなく第１の部分３１と第２の部分３２との間に配置された中間部分３３とを少なくとも備える。
【００５５】
本発明によれば、第２の締結具３０は、第１のロック位置とロック解除位置との間で第１の締結具２０内を移動できる（図８）。
【００５６】
ロック位置は、第２の部分３２が第１の締結具２０の第１の保持セクション２１と協働し、第１の部分３１が第２のセクション２２内に配置されるものである。
【００５７】
ロック解除位置は、中間部分３３が第１の保持セクション２１の高さに位置決めされ、長さ方向軸線Ａ−Ａに沿って第１の保持セクション２１に相対して第１の極限位置と第２の極限位置との間で自由に摺動するものであり、第１の極限位置は、第２の締結具３０の第２の部分３２が第１の保持セクション２１の上端２１ａに当接する位置であり、第２の極限位置は、第２の締結具３０の第１の部分３１が第１の保持セクション２１の下端２１ｂに当接する位置である（図７）。第１の極限位置において、第２の締結具３０の第１の部分３１は、第１の締結具２０の第２のセクション内に配置される。第２の極限位置において、第２の締結具３０の第２の部分３２は第１の締結具２０から外側にあり、換言すると、完全に離れている。
【００５８】
好都合には、第１の保持セクション２１の高さは、中間部分３３の高さよりも完全に低く、これにより一方の極限位置から他方の極限位置へ自由に摺動できる。加えて、第１の保持セクション２１の高さは、第２の部分３２の高さに及び／又は第１の部分３１の高さに等しいか又はそれ以下である。加えて、中間部分３３の高さは、第１の締結具２０内での第２の締結具３０に自由摺動距離を定めるように設定されており、自由摺動距離は、結果としてドクターブレードの抜き取り又は挿入空間を定めるために、ドクターブレードチャンバー本体に対するフランジからの十分な空間に対応するように定められる（図９参照）。
【００５９】
さらにまた、第２の締結具３０は締め付け位置にあることが可能であり、この位置では、第２の締結具３０の第２の部分３２が、完全に第１の保持セクション２１内にあり、好ましくは、第１の保持セクション２１の下端２１ｂに隣接しており、フランジ１１はドクターブレード上で本体に向かって押し付けられる（図８）。締め付け位置において、第２の締結具３０の中間部分３３及び第１の部分３１の両方は、第１の締結具２０の第２のセクション２２内に配置される。
【００６０】
加えて、第２の締結具３０は、中間ロック解除位置とすることもでき、この位置では、中間部分３３は自由に摺動できず、第２の部分３２が第１の保持セクション２１に部分的に係合する。
【００６１】
最後に、締結装置の完全な組み立て時又は分解時に他の中間位置が可能であり、この位置では、第２の締結具３０の第１の部分３１が、第１の保持セクション２１に部分的に又は完全に係合することができる。
【００６２】
発明によれば、第１の部分３１のリテーナ３４は、第１の保持セクション２１上に形成されたねじ山２３の相補的ねじ山である（図６）。加えて、第２の部分３２のリテーナ３４ｂは、第１の保持セクション２１上に設けられたねじ山２３の相補的ねじ山である。加えて、中間部分３３は滑らかである。
【００６３】
第２の締結具３０は、上方に第１の部分３１が配置された第１の端部３５と、頭部を有する第２の端部３６とを備え、第２の部分３２は、第１の端部３５と第２の端部３６との間に、好ましくは第２の締結具３０の頭部の下方に配置されている（図６）。
【００６４】
好ましくは、第２の締結具３０の第２の端部３６は、少なくとも１つの把持部材３７を備える。加えて、第２の端部３６の頭部は、締め付けフランジ１１上に設けられたハウジング（図示せず）を支持することが意図されている支持部３８を備える。
【００６５】
好都合には、第２の締結具３０は、二条ねじの形態であり、第１の部分３１、第２の部分３２、及び中間部分３３がその上に設けられているロッドを備える。
【００６６】
各締結装置１０は、第１の締結具２０のセット、第２の締結具３０のセットを備え、各第１の締結具２０は第２の締結具３０と協働する（図２）。
【００６７】
締め付けフランジ１１は、ドクターブレード３と接触してこれを支持するように設計された締め付け部１２を備える（図６）。締め付けフランジ１１は、締め付け部１２の反対側でドクターブレードチャンバー１の本体２を支持するように構成された支持部１３をさらに備える。加えて、締め付けフランジ１１は、第２の締結具３０の第２の端部３６の頭部の支持部３８を受け入れるように構成されたハウジング（図示せず）を備える。
【００６８】
締結装置１０の組み立てが行われる順番に起こる最初の事象では、第３の締結具４０をドクターブレードチャンバー１の本体２の各オリフィス２ｄに挿入する。好ましくは、第３の締結具４０を本体２上に圧着する（図４）。
【００６９】
次に、第１の締結具２０を第３の締結具４０に挿入する（図５）。好ましくは第１の締結具２０を第３の締結具４０内にねじ込む。
【００７０】
次に、締め付けフランジ１１をドクターブレードチャンバー１の本体２上に配置し、第２の締結具３０の第１の部分３１が第１の締結具２０の第２のセクション２２の中にあり、第２の締結具３０がロック解除位置になるまで第２の締結具３０の第１の部分３１をねじ込むことで、締め付けフランジ１１を貫通して第２の締結具３０を第１の締結具２０に挿入する（図７）。ロック解除位置になると、長さ方向摺動軸線Ａ−Ａに沿って第２の締結具及び締め付けフランジ１１を動かすことで、ドクターブレード３をフランジの締め付け部１２と本体２との間の空間に容易に挿入することができる。
【００７１】
本発明は、記載され添付図面に示された実施形態に限定されない。変更形態は、特に種々の要素の構成の観点からすると又は技術的均等物に置き換えることで結果的に本発明の保護範囲を逸脱することなく依然として可能である。
【符号の説明】
【００７２】
１  ドクターブレードチャンバー
２  本体
３  ドクターブレード
１０  締結装置
１１  締め付けフランジ
２０  第１の締結具
２１  第１の保持セクション
２１ａ  上端
２１ｂ  下端
２２  第２のセクション
３０  第２の締結具
３１  第１の部分
３２  第２の部分
３３  中間部分
３４ａ  保持要素
３４ｂ  保持要素
【図１】
2021519712.tif 000003
【図２】
2021519712.tif 000004
【図３】
2021519712.tif 000005
【図４】
2021519712.tif 000006
【図５】
2021519712.tif 000007
【図６】
2021519712.tif 000008
【図７】
2021519712.tif 000009
【図８】
2021519712.tif 000010
【図９】
2021519712.tif 000011
【国際調査報告】
2021519712.tif 000012
2021519712.tif 000013
2021519712.tif 000014
2021519712.tif 000015